(57)【要約】 【課題】  レバーの操作力を確実に伝えることができること。【解決手段】  レバー２１を回転させることにより相手側コネクタ５１と接続するコネクタ１１において、前記レバー２１に形成した凹部２７には、前記レバー２１の係止部２５ｅに設けたバネ部２５ａ側の第１底部２５ｆと前記凹部２７の第２底部２７ａとの間隔よりも、前記レバー２１に形成した操作部２５ｃ側の前記第１底部２５ｆと前記凹部２７の第２底部２７ａとの間隔のほうを広く構成している。【選択図】図８
2008071527.tif 000002
【特許請求の範囲】
【請求項１】
相手側コネクタと係合可能なレバーと、該レバーを回動可能に取り付けるハウジングとを含み、前記レバーを回転させることにより相手側コネクタと接続するコネクタにおいて、
前記レバーは、略平板状に形成された本体部と、前記レバーの板厚方向で弾性変位する係止片とを有し、
前記ハウジングには、前記相手側コネクタと嵌合・離脱可能な第１の位置と、前記相手側コネクタとの接続状態である第２の位置との間で前記レバーが回転自在に保持されており、
前記係止片は、バネ部と、前記係止片を操作する操作部と、前記バネ部に設けられ前記レバーを前記第２の位置で前記ハウジングに係止させる係止部とを有し、
前記レバーには、前記係止片の第１底部に対向する凹部が形成されており、
前記凹部内には、前記係止片の変位方向に前記第１底部を有するように前記係止片が設けられており、
前記凹部は、前記係止片の変位方向において、前記係止部が設けられた前記バネ部側の前記第１底部と前記第２底部との間隔よりも、前記操作部が設けられた側の前記第１底部と前記第２底部との間隔のほうを広くしたことを特徴とするコネクタ。
【発明の詳細な説明】
【技術分野】
【０００１】
本発明は、レバーを回動操作することによって相手側コネクタと接続するコネクタに関する。
【背景技術】
【０００２】
先行技術１としては、レバーの一端部にレバーを嵌合位置にロックするための弾性ロック片と、レバーの回動操作を行うための指かけ部とが隣接して配置されているレバー式コネクタが知られている（例えば、特許文献１を参照）。
【０００３】
【特許文献１】特開２００３−２４９３０５号公報（公報第４頁５列、図７）
【発明の開示】
【発明が解決しようとする課題】
【０００４】
特許文献１では、レバーの弾性ロック片の下側が開放されているので、弾性ロック片を押圧操作する際に強度が弱いことからレバーを変形させてしまうため、レバーの操作力を確実に伝えることができないという問題がある。
【０００５】
また、特許文献１では、特に、コネクタに多くのコンタクトを備えるものでは、レバーも大型化するので、嵌合前のレバーの飛び出し量が大きくなり、あおり強度が低下してしまうという問題がある。
【０００６】
それ故に、本発明の課題は、レバーの操作力を確実に伝えることがきるコネクタを提供することにある。
【課題を解決するための手段】
【０００７】
本発明は、相手側コネクタと係合可能なレバーと、該レバーを回動可能に取り付けるハウジングとを含み、前記レバーを回転させることにより相手側コネクタと接続するコネクタにおいて、前記レバーは、略平板状に形成された本体部と、前記レバーの板厚方向で弾性変位する係止片とを有し、前記ハウジングには、前記相手側コネクタと嵌合・離脱可能な第１の位置と、前記相手側コネクタとの接続状態である第２の位置との間で前記レバーが回転自在に保持されており、前記係止片は、バネ部と、前記係止片を操作する操作部と、前記バネ部に設けられ前記レバーを前記第２の位置で前記ハウジングに係止させる係止部とを有し、前記レバーには、前記係止片の第１底部に対向する凹部が形成されており、前記凹部内には、前記係止片の変位方向に前記第１底部を有するように前記係止片が設けられており、前記凹部は、前記係止片の変位方向において、前記係止部が設けられた前記バネ部側の前記第１底部と前記第２底部との間隔よりも、前記操作部が設けられた側の前記第１底部と前記第２底部との間隔のほうを広くしたことを特徴とするコネクタであることを最も主要な特徴とする。
【発明の効果】
【０００８】
本発明によれば、係止片の下部分は、凹部を介して板部分によって覆われているので、レバー操作部を押圧して操作してもレバー操作部が変形することがなく、操作力を確実に伝えることができる。
【０００９】
特に、コネクタに多くのコンタクトを備えるものでは、レバーも大型化するが、レバーのあおり強度を向上することができる。
【発明を実施するための最良の形態】
【００１０】
本発明のコネクタは、相手側コネクタと係合可能なレバーと、該レバーを回動可能に取り付けるハウジングとを含み、前記レバーを回転させることにより相手側コネクタと接続するコネクタにおいて、前記レバーは、略平板状に形成された本体部と、前記レバーの板厚方向で弾性変位する係止片とを有し、前記ハウジングには、前記相手側コネクタと嵌合・離脱可能な第１の位置と、前記相手側コネクタとの接続状態である第２の位置との間で前記レバーが回転自在に保持されており、前記係止片は、バネ部と、前記係止片を操作する操作部と、前記バネ部に設けられ前記レバーを前記第２の位置で前記ハウジングに係止させる係止部とを有し、前記レバーには、前記係止片の第１底部に対向する凹部が形成されており、前記凹部内には、前記係止片の変位方向に前記第１底部を有するように前記係止片が設けられており、前記凹部は、前記係止片の変位方向において、前記係止部が設けられた前記バネ部側の前記第１底部と前記第２底部との間隔よりも、前記操作部が設けられた側の前記第１底部と前記第２底部との間隔のほうを広くしたことにより実現した。
【実施例１】
【００１１】
図１乃至図３は、コネクタの実施例１を示している。図１は、コネクタと、このコネクタと嵌合して接続する相手側コネクタとを示している。図２は、図１に示したコネクタと、このコネクタと嵌合して接続する相手側コネクタとを嵌合前の状態で示している。図３は、図２に示したコネクタと、このコネクタと嵌合して接続する相手側コネクタとを嵌合させ接続した後の状態で示している。
【００１２】
図１乃至図３を参照して、コネクタ１１は、相手側コネクタ５１と係合可能なレバー２１と、レバー２１を取り付けるハウジング３１と、ハウジング３１に保持しているコンタクト（図示せず）とを有する。
【００１３】
なお、実施例１において説明するコネクタ１１は、プラグ側コネクタであり、相手側コネクタ５１はプリント配線基板に実装されるレセプタクル側コネクタである。コネクタ１１は相手側コネクタ５１に対して嵌合方向Ａ（図１に示した矢印Ａ方向）で相手側コネクタ５１と嵌合する。さらに、コネクタ１１は、嵌合状態において相手側コネクタ５１に対して離脱方向Ｂ（図１に示した矢印Ｂ方向）へ移動することによって相手側コネクタ５１から離脱する。
【００１４】
コネクタ１１と相手側コネクタ５１とは、ハウジング３１に回動可能に取り付けたレバー２１を所定方向へ回転させることにより嵌合して相互に接続する。ハウジング３１には、相手側コネクタ５１と嵌合・離脱可能な第１の位置（図２に示した初期位置）と、相手側コネクタ５１との接続状態である第２の位置（図３に示した嵌合完了位置）との間で、レバー２１が回転自在に保持されている。
【００１５】
ハウジング３１は、合成樹脂材料からなり、全体として横長立方体のブロック形状をなしている。ハウジング３１には、嵌合方向Ａ及び離脱方向Ｂに貫通している複数のコンタクト収容部３１ｆが形成されている。コンタクト収容部３１ｆには、ソケットコンタクトのような複数のコンタクトが一対一に収容されている。
【００１６】
さらに、ハウジング３１は、上面壁３１ａ、下面壁３１ｂ、及び左右両側の一対の側面壁３１ｃ，３１ｄと、上面壁３１ａ上に間隔をもって形成されている天板部３３とを有する。これらの壁で囲まれた空間のうち、上面壁３１ａ及びこの上面壁３１ａと平行な天板部３３との間に区画された横長スリット状をなす空間は、レバー２１を収容するためのレバー収容部３３ａとなっている。
【００１７】
相手側コネクタ５１は、合成樹脂からなり、全体として長枠形状の相手ハウジング５２と、相手ハウジング５２に設けられているピンコンタクトのような相手コンタクト５５とを有する。
【００１８】
相手ハウジング５２は、下板部５２ａと、下板部５２ａに平行に位置している上板部５２ｂと、下板部５２ａ及び上板部５２ｂを接続している一対の側板部５２ｃ、５２ｄと、嵌合方向Ａ側で下板部５２ａ、上板部５２ｂに接続している後板部５２ｅとを有する。
【００１９】
下板部５２ａ、上板部５２ｂ、一対の側板部５２ｃ,５２ｄ及び後板部５２ｅによって囲まれた部分は、コネクタ１１と嵌合する相手嵌合部５３と成っている。相手嵌合部５３には後板部５２ｅの外側から相手コンタクト５５が挿入されている。相手嵌合部５３内には、相手コンタクト５５の相手接触部５５ａが位置している。
【００２０】
相手接触部５５ａは、コネクタ１１と相手側コネクタ５１とが嵌合した際に、コンタクトの接触部に接触する部分である。相手ハウジング５２の後板部５２ｅの外側には、プリント配線基板の回路と接続するように相手コンタクト５５の相手端子部５５ｂが延びている。
【００２１】
レバー２１は、合成樹脂からなり、略平板状に形成された本体部２３と、レバー２１を第２の位置において係止するためにレバー２１の板厚方向、即ち、レバー２１の板面と直交する方向で弾性変位する片持ち状の係止片２５とを有する。
【００２２】
図４乃至図６をも参照して、本体部２３の一端側には、レバー２１を回動操作するためのレバー操作部２３ａと、内側が開口された枠形状の指かけ部２３ｂとが形成されている。レバー操作部２５ｃと指かけ部２３ｂとは隣接して配置されている。
【００２３】
本体部２３の他端側には、歯形状のカム部２８を備えており、カム部２８の近傍に円形の軸受孔２３ｄが形成されている。軸受孔２３ｄには、ハウジング３１の上面壁３１ａから突設されている支持軸３４（図５を参照）が嵌合され、レバー２１はこの支持軸３４を中心として水平方向に回動可能とされている。
【００２４】
なお、レバー２１がハウジング３１に組み付けられた状態では、ハウジング３１の片側の壁面（ここでは上面壁３１ａ）に沿うような形態となる。カム部２８は上面壁３１ａ及び天板部３３の間に僅かなクリアランスを持って挟まれた状態でレバー収容部３３ａ内に収容される。
【００２５】
カム部２８の下面には、回動案内溝２９が凹設されている。この回動案内溝２９には、相手ハウジング５２の上板部５２ｂ内面、即ち、相手嵌合部５３へ突出して相手カム部５７（図１及び図６を参照）が回動案内溝２９内に係合可能に入り込む。この際、カム部２８は、相手カム部５７のカム溝５７ａに係合する。レバー２１は、相手カム部５７と回動案内溝２９とによって回動操作範囲が規定され、第１の位置から第２の位置までを回動操作可能となっている。
【００２６】
レバー２１の係止片２５は、本体部２３の一端側に一体にかつレバー２１の板面に沿った方向に延びている。係止片２５は、長手方向の中央部分のバネ部２５ａと、係止片２５の自由端部分に形成されている操作部２５ｃと、バネ部２５ａ上に形成されている突状の係止部２５ｅとを有する。
【００２７】
レバー２１には、図７及び図８に示すように、係止片２５の第１底部２５ｆに対向している溝状の凹部２７が形成されている。凹部２７内には、係止片２５の変位方向に第１底部２５ｆを有するように係止片２５を設ける。
【００２８】
凹部２７は、係止片２５の変位方向において、係止部２５ｅが設けられたバネ部２５ａ側の第１底部２５ｆと第１底部２５ｆに対向する凹部２７の第２底部２７ａとの間隔よりも、操作部２５ｃが設けられた側の第１底部２５ｆと第１底部２５ｆに対向する凹部２７の第２底部２７ａとの間隔のほうを広くなるように構成されている。
【００２９】
操作部２５ｃは、係止片２５を操作して係止を解除操作するために指かけ部２３ｂの開口部分を貫通している。係止部２５ｅは、レバー２１を第２の位置で相手ハウジング５２に係止させる部分である。
【００３０】
図９及び図１０は、レバー２１を裏面から見た状態を示している。図９及び図１０によってわかるように、レバー２１は、図７及び図８によって説明したレバー２１の凹部２７の第２底部２７ａを構成している部分が板部となっている。
【００３１】
したがって、係止片２５の下部分は、凹部２７を介して板部分によって覆われているので、レバー操作部２３ａを押圧して操作してもレバー操作部２３ａが変形することがなく、操作力を確実に伝えることができる。特に、コネクタ１１に多くのコンタクトを備えるものでは、レバー２１も大型化するが、レバー２１のあおり強度を向上することができる。
【００３２】
コネクタ１１を組み立てるには、レバー２１をレバー収容部３３ａへ挿入して軸受孔２３ｄと支持軸３４とを係合させることにより、レバー２１がハウジング３１に回転自在に保持される。
【００３３】
相手側コネクタ５１にコネクタ１１を嵌合するには、まず、レバー２１を引き出した状態で、コネクタ１１を相手嵌合部５３へ挿入して、相手カム部５７の離脱方向Ｂ側の前面５７ｃにカム部２８に隣接している回動案内壁２９ａを当接させるようにレバー２１を第１の位置まで位置させる。
【００３４】
次に、レバー２１を図２に示した第１の位置から図２の矢印Ｃによって示した反時計方向へレバー２１のレバー操作部２３を押圧して回転させると、レバー２１が図３に示した第２の位置側へ回転する。このとき、カム部２８と相手カム部のカム溝５７ａとの係合によるカム作用によりコネクタ１１と相手側コネクタ５１が互いに引き寄せられ、コネクタ１１の相手嵌合部５３への嵌入が進む。この嵌合操作中には、レバー２１に対して嵌合抵抗に基づく力が作用するが、カム部２８がレバー収容部３３ａにおいて板厚方向の両側から挟まれた状態であるために、カム部２８が回動軸方向へ変形したり、支持軸３４から外れることが防止される。
【００３５】
レバー２１が第２の位置に接近すると、係止片２５の係止部２５ｅが相手ハウジング５２の上板部５２ｂの内面から突出するように形成されている爪部５２ｆ（図１を参照）に当接して、係止片２５が弾性変形する。そして、レバー２１が第２の位置に至るとともに、係止片２５が元の状態に復帰し、係止部２５ｅと爪部５２ｆとが係止してレバー２１がロックされた状態となる。これにより、コネクタ１１と相手側コネクタ５１とが正規の嵌合状態に至り、コネクタ１１と相手側コネクタ５１との嵌合が完了する。
【００３６】
コネクタ１１と相手側コネクタ５１との嵌合状態から離脱する場合には、指を指かけ部２３ｂに指をかけ、指の先で係止片２５の操作部２５ｃを下方に押圧して係止を解除する。そして、そのままレバー操作部２３ａを引いて、レバー２１を時計回り方向へ回動させる。すると、レバー２１の回動に伴いカム部２８と相手カム部５７とが作用してコネクタ１１と相手側コネクタ５１とが離間されていき、レバー２１が図２に示した第１の位置に至るとともに、カム部２８が相手カム部５７から外れ、コネクタ１１と相手側コネクタ５１とが離脱される。
【００３７】
以上のように実施例１においては、レバー２１を板状となすことでレバー２１が薄型化される。また、係止片２５がレバー２１の板面に沿って形成され、その板面に直交方向に弾性変形するため、レバー２１の厚みを増すことなく操作部２５ｃの面積を広く確保でき、ロック解除の操作性を確保することができる。
【００３８】
また、レバー２１の一端部において、指かけ部２３ｂとレバー操作部２３ａとが隣接して配置されていることから、ロックの解除操作を片手で簡易に行うことができる。
【産業上の利用可能性】
【００３９】
本発明のコネクタは、実装部分によって振動や振動音を抑制する必要がある部品や、見えないところに取り付ける車両用ワイヤーハーネスとしての用途に適用できる。
【図面の簡単な説明】
【００４０】
【図１】本発明に係るコネクタと共に、このコネクタと嵌合して接続する相手側コネクタを嵌合前の状態で示した斜視図である。
【図２】図１に示したコネクタと、このコネクタと嵌合して接続する相手側コネクタとを嵌合直前の状態で示した斜視図である。
【図３】図２に示したコネクタと、このコネクタと嵌合して接続する相手側コネクタとを嵌合させて接続した後の状態で示した斜視図である。
【図４】図１に示したレバーの平面図である。
【図５】図４に示したレバー及びハウジング３１の上面壁の一部を示す正面図である。
【図６】図４に示したレバーと、相手側ハウジングの相手カム部とを示した斜視図である。
【図７】図４に示したレバーをVII-VII線断面して示した斜視図である。
【図８】図４に示したレバーをVII-VII線断面して示した側断面図である。
【図９】図４に示したレバーの裏面図である。
【図１０】図９に示したレバーの斜視図である。
【符号の説明】
【００４１】
１１    コネクタ
２１    レバー
２３    本体部
２３ａ    レバー操作部
２３ｂ    指かけ部
２３ｄ    軸受孔
２５    係止片
２５ａ    バネ部
２５ｃ    操作部
２５ｅ    係止部
２５ｆ    第１底部
２７ａ    第２底部
２８    カム部
２９    回動案内溝
３１    ハウジング
３１ａ    上面壁
３１ｂ    下面壁
３１ｃ，３１ｄ    側面壁
３１ｆ    コンタクト収容部
３３    天板部
３３ａ    レバー収容部
３４    支持軸
５１    相手側コネクタ
５２    相手ハウジング
５２ａ    下板部
５２ｂ    上板部
５２ｃ、５２ｄ    側板部
５３    相手嵌合部
５５    相手コンタクト
５５ａ    相手接触部
５５ｂ    相手端子部
５７    相手カム部
５７ａ    カム溝
Ａ    嵌合方向
Ｂ    離脱方向
【図１】
2008071527.tif 000003
【図２】
2008071527.tif 000004
【図３】
2008071527.tif 000005
【図４】
2008071527.tif 000006
【図５】
2008071527.tif 000007
【図６】
2008071527.tif 000008
【図７】
2008071527.tif 000009
【図８】
2008071527.tif 000010
【図９】
2008071527.tif 000011
【図１０】
2008071527.tif 000012